(57)【特許請求の範囲】
【請求項１】
本体と、駆動部材と、爪車装置とを備える可逆ラチェットレンチであって、
前記本体は、操作部と該操作部から離れている駆動端とを含み、前記本体は、該本体の駆動端に設けられる仮想枢転軸を有し、前記本体の前記駆動端には収容空間と収容室とが設けられており、該収容空間は前記仮想枢転軸の軸方向に沿って前記本体の駆動端の両側を貫通し、前記収容室は前記本体の内部に形成されかつ前記収容空間に連通されており、前記収容室は前記収容空間の一側に位置しておりかつ前記仮想枢転軸の径方向に沿って前記本体の前記操作部の方向に延伸され、前記本体には前記仮想枢転軸の軸方向に沿う受入穴が設けられ、前記仮想枢転軸と前記仮想枢転軸は互いに平行しており、前記受入穴は前記収容室及び外部に連通されており、
前記駆動部材は、前記仮想枢転軸を軸として回転するように前記本体の前記収容空間に設けられ、前記駆動部材の内側には駆動部が環状に形成されており、前記駆動部の反対側にある前記駆動部材の外側には環状歯部を設けられており、
前記爪車装置は、方向制御部材と保持部材と弾性具と係止具とを含み、該方向制御部材は前記仮想枢転軸を軸として回転するように前記本体の受入穴に設けられ、前記方向制御部材は第１側と該第１側から離れている第２側とを有し、前記第１側は前記駆動部材に接近し、前記第２側は該第１側の反対側に位置し、前記方向制御部材には前記仮想枢転軸の径方向に沿う間欠回動スロットと位置決めスロットとが設けられており、該間欠回動スロットと前記位置決めスロットはそれぞれ前記方向制御部材の前記第１側から前記第２側に延伸され、前記保持部材は揺動自在に前記本体の前記収容室内に設けられるとともに、前記駆動部材と前記方向制御部材との間に位置し、前記駆動部材に接近する前記保持部材の一側には爪車部が設けられており、該保持部材の前記爪車部は操作により前記駆動部材の環状歯部に噛み合うか或いは環状歯部から離脱することができ、前記弾性具と前記係止具は順番に前記間欠回動スロットに挿入され、該係止具は摺動自在に前記間欠回動スロットに設けられ、かつ第１位置と第２位置で切り換えることができ、該係止具の一端は前記弾性具に係止され、該弾性具の反対側にある前記係止具の一端は前記間欠回動スロットから突出するとともに前記保持部材に当接し、前記爪車装置は取付具をさらに含み、該取付具は前記位置決めスロットに取付けられ、該取付具の一端は前記方向制御部材の前記第１側から前記位置決めスロットを突出し、前記位置決めスロットから突出した前記取付具の一端には接触部が形成され、該接触部が前記駆動部材に係合されることによって前記保持部材を圧迫し、
前記弾性具から離れている前記係止具の一端と前記方向制御部材の第１側の表面との間には第１長さが形成され、前記位置決めスロットから突出している前記取付具の一端と前記方向制御部材の第１側の外面との間には第２長さが形成され、前記係止具が第１位置に位置するとき、前記係止具の前記第１長さは前記取付具の前記第２長さより長くなり、かつ前記取付具は前記保持部材を押動せず、前記係止具が第２位置を位置するとき、前記係止具の前記第１長さが前記取付具の前記第２長さより小さくなるか或いは等しくなり、かつ前記取付具は保持部材を押動することを特徴とする可逆ラチェットレンチ。
【請求項２】
前記位置決めスロットは前記方向制御部材の第２側を貫通せずに第１側に凹設され、前記接触部の反対側にある前記取付具の一端は前記位置決めスロットの底部に当接し、前記接触部に接近する前記取付具の一端は前記方向制御部材の第１側から前記位置決めスロットを突出することを特徴とする請求項１に記載の可逆ラチェットレンチ。
【請求項３】
前記収容空間から離れている前記本体の一側には係止壁が設けられ、前記方向制御部材の第２側は前記係止壁に当接し、前記位置決めスロットは前記方向制御部材の第１側と第２側を貫通し、前記接触部の反対側にある前記取付具の一端は前記本体の前記係止壁に当接し、前記接触部に接近する該取付具の一端は前記方向制御部材の第１側から前記位置決めスロットを突出することを特徴とする請求項１に記載の可逆ラチェットレンチ。
【請求項４】
前記取付具は中実円柱状に形成されることを特徴とする請求項１ないし請求項３のうちいずれか一項に記載の可逆ラチェットレンチ。
【請求項５】
前記取付具は中実矩形柱状に形成されることを特徴とする請求項１ないし請求項３のうちいずれか一項に記載の可逆ラチェットレンチ。
【請求項６】
前記取付具の硬さは前記保持部材の硬さより硬く、前記方向制御部材の硬さは前記保持部材の硬さより硬いことを特徴とする請求項２又は請求項３に記載の可逆ラチェットレンチ
【請求項７】
前記取付具の硬さが前記保持部材の硬さより硬いことを特徴とする請求項３に記載の可逆ラチェットレンチ。
【請求項８】
前記間欠回動スロットと前記位置決めスロットは前記仮想枢転軸の軸方向に並列されることを特徴とする請求項１ないし請求項３のうちいずれか一項に記載の可逆ラチェットレンチ。
【請求項９】
前記間欠回動スロットは、前記方向制御部材の第２側を貫通せずに前記方向制御部材の第１側に凹設され、前記係止具から離れている前記弾性具の一端は前記間欠回動スロットの底部に当接し、前記駆動部材から離れている前記保持部材の一端には凹部が設けられ、前記弾性具から離れている前記係止具の一端は前記保持部材の前記凹部に当接することを特徴とする請求項１ないし請求項３のうちいずれか一項に記載の可逆ラチェットレンチ。
【請求項１０】
前記本体において前記収容室と前記受入穴との間には対向する２つの位置固定部が形成され、前記係止具を前記本体の前記２つの位置固定部のいずれか一つに当接させることにより、前記本体に対する前記方向制御部材の揺動角度を制限することを特徴とする請求項２又は請求項３に記載の可逆ラチェットレンチ。
【発明の詳細な説明】
【技術分野】
【０００１】
本発明はラチェットレンチに関し、特に可逆ラチェットレンチに関する。
【背景技術】
【０００２】
米国特許第６６２９４７７号に記載される「Reversible  ratchet  wrench  with  high  torsion（高いねじり力を備えた可逆ラチェットレンチ）（特許文献１）」というラチェットレンチは、把持部（handle）と、駆動部材（driving  member）とを備える。駆動部材は、把持部に枢接され、かつ把持部に相対して回動することができる。ラチェットレンチを使用するとき、使用者が駆動部材にソケットを接続させた後、このソケットを例えばねじ、ナットなどの工作物を結合させる。かつ使用者が把持部を回すことにより、工作物を回動させることができる。このラチェットレンチは、保持部材（retainer  member）と、方向制御部材（direction  control  member）と、押圧具（pressing  member）と、弾性具（elastic  member）とを備える。保持部材は揺動自在にラチェットレンチの保持凹部（retaining  recess）に設けられ、かつ操作により駆動部材と互いに噛み合うことができる。方向制御部材は回転自在にラチェットレンチの収容室（receiving  chamber）に設けられ、押圧具と弾性部材は方向制御部材の第１収容凹部（first  receiving  recess）に取り付けられる。押圧具は弾性部材の弾力によって保持部材を押動する。保持部材を回すことにより、方向制御部材が保持部材を押圧する位置を変更し、かつ駆動部材のラチェット運動方向を変更することができる。
【０００３】
ラチェットレンチを組み立てるとき、まずは方向制御部材を収容室内に取り付ける。つぎは、収容室を通して押圧具と弾性部材を方向制御部材の第１収容凹部に取り付ける。最後は、保持部材と駆動部材を順番にラチェットレンチに取付ける。押圧具がラチェットレンチ内部に係止されることによって、方向制御部材が収容室から離脱することを防ぐことができる。組み立てたラチェットレンチの内部において、保持部材と駆動部材とが滑らかに噛み合うか或いは滑らかに離脱することを確保するため、保持部材と駆動部材との間に潤滑油脂を注入する。また、組立てたラチェットレンチを完全に密閉させることができないので、外部からの油汚れがラチェットレンチの内部に侵入するか、或いは駆動部材と保持部材の摩擦によって形成される金属屑がラチェットレンチの内部に溜まるおそれがある。油汚れと潤滑油脂が駆動部材と保持部材との間に蓄積されることにより、駆動部材と保持部材が滑らかに噛み合うか或いは滑らかに離脱することができない。使用者の不適切な操作によって駆動部材と保持部材が切り離脱しないとき、使用者がラチェットレンチの把持部を逆方向に回し続けると、保持部材の過度な圧迫によって押圧具が変形又は破損し、ラチェットレンチがラチェット機能を失うおそれがある。すんわち、故障が発生することによりラチェットレンチを使用し続けることができなくなる。さらに、保持部材からの過度な圧迫により押圧具はが第１収容凹部に圧入されるとき、押圧具が位置制限機能を失うので、方向制御部材が収容室から離脱してしまう問題が発生する。使用者がラチェットレンチを頭の上に上げて頭部より高い工作物の締め付ける作業を行うとき、収容室から離脱した方向制御部材が使用者の頭部に衝突することにより、事故になるおそれがある。
【０００４】
また、ラチェットレンチが長く使用すると、水分又は汗水がラチェットレンチの内部に沁み込むと、方向制御部材と保持部材にさびが生じ、駆動部材と保持部材が滑らかに噛み合うか或いは滑らかに離脱することができない。それによっても、ラチェットレンチに故障が発生するおそれがある。
【先行技術文献】
【特許文献】
【０００５】
【特許文献１】米国特許第６６２９４７７号
【発明の概要】
【発明が解決しようとする課題】
【０００６】
本発明の目的は、上述した従来技術の問題を解決することができるラチェットレンチを提供することにある。
【課題を解決するための手段】
【０００７】
上述した課題を解決するため、本発明は、次のようなラチェットレンチを提供する。本発明のラチェットレンチは、本体と、駆動部材と、爪車装置とを備える。本体は、操作部と該操作部から離れている駆動端とを含む。本体は、本体の駆動端に設けられる仮想枢転軸を有する。本体の駆動端には収容空間と収容室が設けられている。収容空間は、仮想枢転軸の軸方向に沿って本体の駆動端両側を貫通する。収容室は、本体の内部に形成され、かつ収容空間に連通されている。収容室は、収容空間の一側に位置し、かつ仮想枢転軸の径方向に沿って操作部の方向に延伸されている。本体には仮想枢転軸の軸方向に沿う受入穴が設けられている。仮想枢転軸と仮想枢転軸は互いに平行しており、受入穴は収容室及び外部に連通されている。駆動部材は仮想枢転軸を軸として回転するように本体の収容空間に設けられる。駆動部材の内側には駆動部が環状に設けられ、駆動部から離れている駆動部材の外側には環状歯部が設けられている。爪車装置は、方向制御部材と、保持部材と、弾性具と、係止具とを含む。方向制御部材は、仮想枢転軸を軸として回転するように本体の受入穴に設けられる。方向制御部材は、第１側と該第１側から離れている第２側とを有する。第１側は駆動部材に接近し、第２側は駆動部材の反対側に位置する。方向制御部材には、仮想枢転軸の径方向に沿う間欠回動スロットと位置決めスロットとが設けられている。間欠回動スロットと位置決めスロットはそれぞれ、方向制御部材の第１側から第２側の方向に延伸されている。保持部材は、本体の収容室に揺動自在に設けられ、かつ駆動部材と方向制御部材との間に位置する。駆動部材に接近する保持部材の一側には爪車部が設けられている。保持部材の爪車部は、操作により駆動部材の環状歯部に噛み合うか或るは駆動部材の環状歯部から離脱することができる。弾性具と係止具を順番に間欠回動スロットに取付けるとき、係止具は摺動自在に間欠回動スロットに設けられる。係止具の一端は弾性具に係止され、弾性具から離れている係止具の一端は間欠回動スロットから突出するとともに、保持部材に当接する。爪車装置は、位置決めスロットに設けられる取付具をさらに含み、取付具の一端は方向制御部材の第１側から位置決めスロットを突出し、位置決めスロットから突出した取付具の一端には接触部が形成され、接触部が駆動部材に当接することにより保持部材を圧迫する。
【０００８】
本発明のラチェットレンチにおいて、係止具は摺動自在に間欠回動スロットに設けられ、かつ第１位置と第２位置との間で切り換えることができる。弾性具から離れている係止具の一端と方向制御部材の第１側の外面との間には第１長さが形成され、位置決めスロットから突出している取付具の一端と方向制御部材の第１側の外面との間には第２長さが形成される。前記係止具が第１位置に位置するとき、前記係止具の前記第１長さが前記取付具の前記第２長さより長くなり、取付具は保持部材を押動しない。係止具が第２位置に位置するとき、係止具の第１長さは取付具の第２長さより小さくなるか或いは等しくなり、保持部材が取付具を押動する。
【０００９】
本発明のラチェットレンチにおいて、位置決めスロットは、方向制御部材の第２側を貫通せずに方向制御部材の第１側に凹設されている。接触部の反対側にある取付具の一端は位置決めスロットの底部に当接し、接触部に接近する取付具の一端は方向制御部材の第１側から位置決めスロットを突出する。
【００１０】
本発明のラチェットレンチにおいて、受入穴が収容空間から離れている本体の一側には係止壁が設けられている。方向制御部材の第２側は係止壁に当接し、位置決めスロットは方向制御部材の第１側と第２側を貫通している。接触部の反対側にある取付具の一端は本体の係止壁に当接し、接触部に接近する取付具の一端は方向制御部材の第１側から位置決めスロットを突出する。
【００１１】
本発明のラチェットレンチにおいて、取付具は中実円柱状に形成された構造体である。
【００１２】
本発明のラチェットレンチにおいて、取付具は中実矩形柱状に形成された構造体である。
【００１３】
本発明のラチェットレンチにおいて、取付具の硬さは保持部材の硬さより高く、方向制御部材の硬さが保持部材の硬さより高い。
【００１４】
本発明のラチェットレンチにおいて、取付具の硬さが保持部材の硬さより高い。
【００１５】
本発明のラチェットレンチにおいて、間欠回動スロットと位置決めスロットが仮想枢転軸の軸方向に並列されている。
【００１６】
本発明のラチェットレンチにおいて、間欠回動スロットは、方向制御部材の第２側を貫通せず方向制御部材の第１側に凹設されている。係止具の反対側にある弾性具の一端は間欠回動スロットの底部に当接し、駆動部材から離れている保持部材の一側には凹部が設けられ、弾性具の反対側にある係止具の一端は保持部材の凹部に係止される。
【００１７】
本発明のラチェットレンチにおいて、本体において、収容室と受入穴との間には対向する２つの位置固定部が形成されている。係止具を本体の２つの位置固定部のいずれかの一つに係止させることにより、本体に相対する方向制御部材の揺動角度を制限する。
【００１８】
本発明の他の目的、発明の効果及び本発明の新規性は、以下の詳細な説明と関連図面によって、より詳細に理解することができる。
【発明の効果】
【００１９】
上述した本発明のラチェットレンチにより、つぎのような発明の効果を奏することができる。
【００２０】
本発明の可逆ラチェットレンチは、本体と、駆動部材と、爪車装置とを備える。本体は、操作部と該操作部から離れている駆動端とを含む。本体は、本体の駆動端に設けられている仮想枢転軸を有する。本体の駆動端には収容空間と収容室とが設けられている。収容空間は仮想枢転軸の軸方向に本体の駆動端の両側を貫通し、収容室は、本体の内部に形成されるとともに収容空間に連通されている。収容室は、収容空間の一側に位置し、かつ仮想枢転軸の径方向に沿って本体の操作部側に延伸されている。本体には仮想枢転軸の軸方向に沿う受入穴が設けられている。仮想枢転軸と仮想枢転軸とは平行し、受入穴は収容室及び外部に連通されている。駆動部材は、仮想枢転軸と軸として回転するように本体の収容空間に設けられる。駆動部材の内側には駆動部が環状に設けられ、駆動部材の外側には環状歯部を設けられている。爪車装置は、方向制御部材と、保持部材と、弾性具と、係止具とを含む。方向制御部材は仮想枢転軸を軸として回転するように本体の受入穴に設けられる。方向制御部材には、仮想枢転軸の径方向に沿う間欠回動スロットが設けられている。間欠回動スロットは、駆動部材に接近する方向制御部材の一側から駆動部材から離れる一側に延伸されている。保持部材は、本体の収容室に揺動自在に設けられ、かつ駆動部材と方向制御部材との間に位置する。駆動部材に接近する保持部材の一側には爪車部が設けられている。保持部材の爪車部は、操作により駆動部材の環状歯部と噛み合うことができる。弾性具と係止具を順番に間欠回動スロットに設けるとき、係止具の一端は弾性具に当接し、弾性具の反対側にある係止具の一端は間欠回動スロットから突出するとともに、保持部材に当接する。保持部材に接近する方向制御部材の一側には接触部が形成され、接触部は操作により保持部材を押動することができる。接触部が保持部材を押動することにより、保持部材と駆動部材が滑らかに離脱できないことを避け、かつ保持部材が係止具を過度に圧迫することを避けることができる。したがって、過大な圧力によって係止具が損傷又は変形することを避け、ラチェットが故障が出るか或いは破損されることを防止することができる。
【００２１】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があっても当然にこの発明に含まれる。また、例えば、各実施例に複数の構成が含まれている場合には、特に記載がなくとも、当然にこれらの構成の可能な組合せが含まれる。
【図面の簡単な説明】
【００２２】
【図１】本発明の第１実施例に係る可逆ラチェットレンチを示す外観斜視図である。
【図２】本発明の第１実施例に係る可逆ラチェットレンチを示す分解斜視図である。
【図３】本発明の第１実施例に係る可逆ラチェットレンチの縦方向の断面構造を示す図である。
【図４】本発明の第１実施例に係る可逆ラチェットレンチの横方向の断面構造を示す図である。
【図５】本発明の第１実施例に係る可逆ラチェットレンチの異なる方向の断面構造を示す図である。
【図６】本発明の第１実施例に係る可逆ラチェットレンチの正常使用状態において、保持部材と駆動部材とが離脱していることを示す図である。
【図７】本発明の第１実施例に係る可逆ラチェットレンチの正常使用状態において、係止具が方向制御部材を押動することを示す図である。
【図８】本発明の第１実施例に係る可逆ラチェットレンチにおいて、油汚れが侵入したこきに方向制御部材が係止具を押動することを示す図である。
【図９】本発明の第１実施例に係る可逆ラチェットレンチの正常使用状態において、油汚れが侵入したときに係止具が方向制御部材を押動することを示す図を示す。
【図１０】本発明の第１実施例に係る可逆ラチェットレンチの正常使用状態において、油汚れが侵入したとき取付具が方向制御部材を押動することによって、方向制御部材と駆動部材とが離脱していることを示す図である。
【図１１】本発明の第２実施例に係る可逆ラチェットレンチの縦方向の断面構造を示す図である。
【図１２】本発明の第３実施例に係る可逆ラチェットレンチを示す分解斜視図である。
【発明を実施するための形態】
【００２３】
本発明による技術、手段ならびに効果について、３つの好ましい実施例と図式に基づいて、以下のとおり詳細に説明する。ただし、本発明の請求範囲は後述する実施例の構造にのみ制限されるものではない。
【００２４】
（実施例）
図１ないし図５を参照すると、本発明の第１実施例に係る可逆ラチェットレンチの外観斜視図、分解斜視図、断面図などが示されている。本発明の可逆ラチェットレンチ１０は、本体２０と、駆動部材３０と、爪車装置４０とを備える。
【００２５】
本体２０は、操作部２１とこの操作部２１から離れている駆動端２２とを有する。操作部２１は、使用者がそれを把持して操作することに用いられる。本体２０は仮想枢転軸Ｃを有し、この仮想枢転軸Ｃは本体２０の駆動端２２に設けられている。本体２０の駆動端２２には収容空間２３と収容室２４が設けられている。収容空間２３は、仮想枢転軸Ｃの軸方向に沿って本体２０の駆動端２２の両側を貫通する。収容室２４は、本体２０の内部に形成され、かつ収容空間２３と連通されている。収容室２４は、仮想枢転軸Ｃの径方向に沿って収容空間２３の一側に形成され、かつ本体２０の操作部２１側に延伸されている。本体２０には、仮想枢転軸Ｓの軸方向に沿う受入穴２５が設けられている。仮想枢転軸Ｓと仮想枢転軸Ｃとは平行し、受入穴２５は収容室２４と外部に連通されている。本体２０において、収容空間２３から離れている受入穴２５の一側には係止壁２６が形成されており、係止壁２６は凹弧状に形成されている。本体２０において、収容室２４と受入穴２５との間には対向する２つの位置固定部２７が形成されている。
【００２６】
駆動部材３０は、仮想枢転軸Ｃを軸として回転するように本体２０の収容空間２３内に取り付けられる。駆動部材３０の内側には、仮想枢転軸Ｃの方向に沿った駆動部３１が環状に形成されており、駆動部材３０の外側には、仮想枢転軸Ｃの方向に沿い、かつ駆動部３１から所定の距離離れている環状歯部３２が設けられている。
【００２７】
爪車装置４０は、方向制御部材４１と、保持部材４２と、弾性具４３と、係止具４４と、取付具４５とを含む。方向制御部材４１は、仮想枢転軸Ｓを軸として回転するように本体２０の受入穴２５に設けられる。方向制御部材４１は、第１側４１０１と、第１側４１０１から離れている第２側４１０２とを有する。方向制御部材４１の第１側４１０１は駆動部材３０に接近し、方向制御部材４１の第２側４１０２は駆動部材３０の反対側にある係止壁２６に当接される。方向制御部材４１は、仮想枢転軸Ｓの径方向に設けられた間欠回動スロット４１１と位置決めスロット４１２とを含む。間欠回動スロット４１１と位置決めスロット４１２はそれぞれ、方向制御部材４１の第１側４１０１から方向制御部材４１の第２側４１０２側へ延伸し、間欠回動スロット４１１と位置決めスロット４１２は仮想枢転軸Ｓの軸方向に並列されている。間欠回動スロット４１１は、方向制御部材４１の第２側４１０２を貫通せずに方向制御部材４１の第１側４１０１に凹設されており、位置決めスロット４１２は、方向制御部材４１の第２側４１０２を貫通せずに方向制御部材４１の第１側４１０１に凹設されている。
【００２８】
保持部材４２は、本体２０の収容室２４内に揺動自在に設けられ、かつ駆動部材３０と方向制御部材４１との間に位置する。駆動部材３０に隣接する保持部材４２の一側には爪車部４２１が設けられている。保持部材４２の爪車部４２１は、操作により駆動部材３０の環状歯部３２に噛み合うか或いは環状歯部３２から離脱することができる。駆動部材３０の反対側にある保持部材４２の一側には凹部４２２が設けられている。
【００２９】
弾性具４３と係止具４４を順番に間欠回動スロット４１１内に挿入するとき、弾性具４３の一端は間欠回動スロット４１１の底部に当接る。弾性具４３は圧縮ばねであり、係止具４４は摺動自在に間欠回動スロット４１１に設けられ、かつ第１位置と第２位置との間で切り替えることができる。係止具４４の一端は弾性具４３に当接し、弾性具４３の反対側にある係止具４４の他端は間欠回動スロット４１１から突出し、かつその他端と方向制御部材４１の第１側４１０１の外面との間には第１長さＬ１が形成される。弾性具４３の反対側にある係止具４４の他端が保持部材４２の凹部４２２に当接するとともに、係止具４４の一端が間欠回動スロット４１１内に摺動自在に挿入されることによって、方向制御部材４１が仮想枢転軸Ｓの方向に受入穴２５から離脱することを防止することができる。係止具４４を本体２０の２つの位置固定部２７のうちのいずれか一つに係止させることにより、方向制御部材４１が本体２０に相対して揺動する角度を調節することができる。
【００３０】
間欠回動スロット４０は取付具４５をさらに含み、該取付具４５及び方向制御部材４１の硬さは保持部材４２より硬い。取付具４５を位置決めスロット４１２に挿入するとき、取付具４５の一端は位置決めスロット４１２の底部に当接し、取付具４５の他端は方向制御部材４１の第１側４１０１から位置決めスロット４１２側へ突出し、かつ取付具４５の他端と方向制御部材４１の第１側４１０１の外面との間には第２長さＬ２が形成される。位置決めスロット４１２から突出する取付具４５の一端には接触部４５１が形成されており、該接触部４５１は操作によって保持部材４２の凹部４２２に当接することができる。取付具４５は中実円柱状に形成されている。取付具４５は、本体２０が備える２つの位置固定部２７と接触しない。
【００３１】
係止具４４が第１位置に位置するとき、係止具４４の第１長さＬ１は取付具４５の第２側Ｌ２より長くなり、取付具４５は保持部材４２に接触しない。係止具４４が第１位置に位置するとき、係止具４４の第１長さＬ１は取付具４５の第２側Ｌ２より小さくなるか或いは等しくなり、取付具４５は保持部材４２を押動する。
【００３２】
図６と図７は、本発明の可逆ラチェットレンチの第１実施例における正常使用状態を示す動作図である。ラチェットレンチ１０を使用するとき、使用者が操作部２１を回すことにより本体２０を逆方向に回動させる。この場合、駆動部材３０の押動によって保持部材４２が駆動部材３０から離れるので、保持部材４２が駆動部材３０を駆動することができる。また、保持部材４２が係止具４４を押動することにより、係止具４４が弾性具４３を圧縮する。このとき、取付具４５は保持部材４２を押動しない。
【００３３】
図８と図１０は、本発明の第１実施例に係る可逆ラチェットレンチに油汚れが侵入したときにそのまま使用することを示す動作図である。ラチェットレンチ１０の内部に油汚れを入り込むとき、この油汚れが保持部材４２と駆動部材３０との間に蓄積されるので、保持部材４２の爪車部４２１が駆動部材３０の環状歯部３２に滑らかに噛み合うか或いは環状歯部３２から滑らかに離脱することができない。すなわち、保持部材４２が駆動部材３０の環状歯部３２に噛み合った後に、駆動部材３０の環状歯部３２から滑らかに離脱しないおそれがある。つまり、保持部材４２が駆動部材３０に噛み付いた状態になるおそれがある。図４の引き続きである図８において、使用者が本体２０を逆方向に回すとき、保持部材４２が駆動部材３０から離れる方向に移動し、かつ取付具４５の接触部４５１が保持部材４２の凹部４２２を押動することにより、保持部材４２の爪車部４２１を駆動部材３０の環状歯部３２から強制的に離脱させる。図９と図１０に示すように、取付具４５の接触部４５１が保持部材４２を押動することによって、保持部材４２の爪車部４２１を駆動部材３０の環状歯部３２から強制的に離脱させる。したがって、保持部材４２が環状歯部３２から離脱しない状態において、使用者がラチェットレンチ１０を回し続けることにより、保持部材４２が係止具４４を過度に圧縮されることを防ぐことができる。すなわち、係止具４４が過大な圧力によって変形し、ラチェットレンチ１０が破損されることを防止することができる。
【００３４】
保持部材４２及び駆動部材３０にさびが生じることにより、保持部材４２の爪車部４２１が駆動部材３０の環状歯部３２から滑らかに離脱すことができない場合も、取付具４５の接触部４５１が保持部材４２の凹部４２２を押動することによって、保持部材４２を駆動部材３０から離脱させ、ラチェットレンチ１０が破損されることを防げることができる。したがって、係止具４４が間欠回動スロット４１１に相対して摺動不能になることを防止し、かつ方向制御部材４１が受入穴２５から離脱することを防止することができる。
【００３５】
取付具４５の接触部４５１が保持部材４２の凹部４２２に当接することにより、保持部材４２の爪車部４２１を駆動部材３０の環状歯部３２から強制的に離脱させ、ラチェットレンチ１０の状態を図４と５に示された正常使用状態に戻すことができる。係止具４４が弾性具４３の弾力によって保持部材４２を押動するので、保持部材４２が環状歯部３２に再び噛み合うことができる。したがって、保持部材４２が駆動部材３０に滑らかに噛合わないか或いは駆動部材３０から滑らかに離脱することができないことにより、係止具４４に破損又は変形することを有効に避けることができ、かつ方向制御部材４１が受入穴２５から離脱することを防ぐことができる。上述したことにより、ラチェットレンチ１０の寿命を延ばすことができる。
【００３６】
図１１を参照すると、本発明の第２実施例に係る可逆ラチェットレンチの縦方向の断面構造示す図が示されている。本発明の第２実施例は第１実施例とほぼ同じである。本実施例において、係止具４４の一端は間欠回動スロット４１１ａから突出し、かつ係止具４４の一端と方向制御部材４１ａの第１側４１０１ａ外面との間には第１長さＬ１形成される。第２実施例と第１実施例の主な相違点は、位置決めスロット４１２ａが方向制御部材４１ａの第１側４１０１ａと第２側４１０２ａを貫通し、方向制御部材４１ａの第２側４１０２ａと取付具４５ａの一端とは本体２０の係止壁２６に当接し、取付具４５ａの他端は方向制御部材４１ａの第１側４１０１ａより高くなるように置決めスロット４１２ａから突出し、かつ取付具４５ａの他端と方向制御部材４１ａの第１側４１０１ａの外面との間には第２長さＬ２が形成され、位置決めスロット４１２ａから突出した取付具４５ａの一端には接触部４５１ａが形成されることにある。
【００３７】
取付具４５ａの一端が本体２０の係止壁２６に当接され、取付具４５ａの接触部４５１ａが保持部材４２に当接されることにより、方向制御部材４１ａは取付具４５ａから作用力を受けず、本体２０の係止壁２６のみがその作用力を受ける。したがって、硬さの低い材質で方向制御部材４１ａを制作することができるので、ラチェットレンチ１０全体の製造コストを低減することができる。
【００３８】
係止具４４が第１位置に位置するとき、係止具４４の第１長さＬ１は取付具４５の第２側Ｌ２より長くなり、取付具４５は保持部材４２に接触しない。係止具４４が第１位置に位置するとき、係止具４４の第１長さＬ１は取付具４５の第２側Ｌ２より小さくなるか或いは等しくなり、取付具４５は保持部材４２を押動する。取付具４５ａの硬さは保持部材４２より硬い。第２実施例の他の構造と第１実施例の構造が同一するので、ここでは説明を省略する。
【００３９】
図１２を参照すると、本発明の第３実施例に係る可逆ラチェットレンチを示す分解斜視図が示されている。本発明の第３実施例と第１実施例とがほぼ同じであるが、両者の主な相違点は、取付具４５ｂが中実の矩形柱状を形成されることにある。第３実施例の他の構造と第１実施例の構造が同一するので、ここでは説明を省略する。
【００４０】
上述した本発明のラチェットレンチにより、つぎのような発明の効果を奏することができる。
【００４１】
本発明の可逆ラチェットレンチは、本体と、駆動部材と、爪車装置とを備える。本体は、操作部と該操作部から離れている駆動端とを含む。本体は、本体の駆動端に設けられている仮想枢転軸を有する。本体の駆動端には収容空間と収容室とが設けられている。収容空間は仮想枢転軸の軸方向に本体の駆動端の両側を貫通し、収容室は、本体の内部に形成されるとともに収容空間に連通されている。収容室は、収容空間の一側に位置し、かつ仮想枢転軸の径方向に沿って本体の操作部側に延伸されている。本体には仮想枢転軸の軸方向に沿う受入穴が設けられている。仮想枢転軸と仮想枢転軸とは平行し、受入穴は収容室及び外部に連通されている。駆動部材は、仮想枢転軸と軸として回転するように本体の収容空間に設けられる。駆動部材の内側には駆動部が環状に設けられ、駆動部材の外側には環状歯部を設けられている。爪車装置は、方向制御部材と、保持部材と、弾性具と、係止具とを含む。方向制御部材は仮想枢転軸を軸として回転するように本体の受入穴に設けられる。方向制御部材には、仮想枢転軸の径方向に沿う間欠回動スロットが設けられている。間欠回動スロットは、駆動部材に接近する方向制御部材の一側から駆動部材から離れる一側に延伸されている。保持部材は、本体の収容室に揺動自在に設けられ、かつ駆動部材と方向制御部材との間に位置する。駆動部材に接近する保持部材の一側には爪車部が設けられている。保持部材の爪車部は、操作により駆動部材の環状歯部と噛み合うことができる。弾性具と係止具を順番に間欠回動スロットに設けるとき、係止具の一端は弾性具に当接し、弾性具の反対側にある係止具の一端は間欠回動スロットから突出するとともに、保持部材に当接する。保持部材に接近する方向制御部材の一側には接触部が形成され、接触部は操作により保持部材を押動することができる。接触部が保持部材を押動することにより、保持部材と駆動部材が滑らかに離脱できないことを避け、かつ保持部材が係止具を過度に圧迫することを避けることができる。したがって、過大な圧力によって係止具が損傷又は変形することを避け、ラチェットが故障が出るか或いは破損されることを防止することができる。
【００４２】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があっても当然にこの発明に含まれる。また、例えば、各実施例に複数の構成が含まれている場合には、特に記載がなくとも、当然にこれらの構成の可能な組合せが含まれる。
【符号の説明】
【００４３】
１０  ラチェットレンチ
２０  本体
２１  操作部
２２  駆動端
２３  収容空間
２４  収容室
２５  受入穴
２６  係止壁
２７  位置固定部
３０  駆動部材
３１  駆動部
３２  環状歯部
４０  爪車装置
４１  方向制御部材
４１０１  第１側
４１０２  第２側
４１１  間欠回動スロット
４１２  位置決めスロット
４２  保持部材
４２１  爪車部
４２２  凹部
４３  弾性具
４４  係止具
４５  取付具
４５１  接触部
Ｌ１  第１長さ
Ｌ２  第２長さ
Ｃ  仮想枢転軸
Ｓ  仮想枢転軸
４１ａ  方向制御部材
４１１ａ  間欠回動スロット
４，１０１ａ  第１側
４，１０２ａ  第２側
４１２ａ  位置決めスロット
４５ａ  取付具
４５１ａ  接触部
４５ｂ  取付具
【図１】
0005889991.tif 000002
【図２】
0005889991.tif 000003
【図３】
0005889991.tif 000004
【図４】
0005889991.tif 000005
【図５】
0005889991.tif 000006
【図６】
0005889991.tif 000007
【図７】
0005889991.tif 000008
【図８】
0005889991.tif 000009
【図９】
0005889991.tif 000010
【図１０】
0005889991.tif 000011
【図１１】
0005889991.tif 000012
【図１２】
0005889991.tif 000013